(57)【要約】【課題】  召集する加入者端末が分散収容されている場合でも、指令に使用する回線数を最小限とし、回線を有効に使用して接続を行うことが可能な指令召集システムを提供する。【解決手段】  召集サーバ２ａ，２ｂ，２ｃを各拠点Ａ，Ｂ，Ｃに配置し、拠点Ａ，Ｂ，Ｃ間はＬＡＮ／ＷＡＮにて接続を行う。召集サーバ２ａ，２ｂ，２ｃは構内交換機１ａ，１ｂ，１ｃとともにＬＡＮに接続されている。召集者は自席ＰＣ等から召集サーバ２ａ，２ｂ，２ｃに要求を行う。召集サーバ２ａ，２ｂ，２ｃは端末の接続要求を構内交換機１ａ，１ｂ，１ｃへと通知し、構内交換機１ａ，１ｂ，１ｃは収容している会議トランク３ａ，３ｂ，３ｃを使用して招集を行う。【選択図】      図１                                                  
2005057619.tif 000002
【特許請求の範囲】
【請求項１】
各々加入者端末が接続される複数の召集回線を各拠点に分散して配置する指令召集システムであって、
収集指令に応答して指令要求を送出する召集サーバと、
前記召集サーバからの指令要求に応答して自拠点内の前記召集回線に対して呼出信号の送出を行う構内交換機とを前記各拠点に有し、
前記召集サーバは、前記指令要求を自拠点に収容する回線のみに対して行い、他拠点に収容される召集回線に対する指令要求は、前記他拠点に収容されている前記召集サーバから行うことを特徴とする指令召集システム。
【請求項２】
各拠点間を少なくともＬＡＮ（Ｌｏｃａｌ  Ａｒｅａ  Ｎｅｔｗｏｒｋ）／ＷＡＮ（Ｗｉｄｅ  Ａｒｅａ  Ｎｅｔｗｏｒｋ）を含むネットワークで接続したことを特徴とする請求項１記載の指令召集システム。
【請求項３】
前記招集サーバと、前記招集サーバに前記収集指令を送出する情報端末とを前記ネットワークを介して接続することを特徴とする請求項２記載の指令召集システム。
【請求項４】
前記召集回線の状態を前記構内交換機から前記召集サーバに通知することを特徴とする請求項１から請求項３のいずれか記載の指令召集システム。
【請求項５】
前記各拠点に収容される前記構内交換機間の接続を会議トランク同士の接続で行うことを特徴とする請求項１から請求項４のいずれか記載の指令召集システム。
【請求項６】
各々加入者端末が接続される複数の召集回線を各拠点に分散して配置する指令召集システムの指令召集方法であって、収集指令に応答して召集サーバから指令要求を送出し、前記召集サーバからの指令要求に応答して構内交換機から自拠点内の前記召集回線に対して呼出信号の送出を行うとともに、前記召集サーバが前記指令要求を自拠点に収容する回線のみに対して行い、他拠点に収容される召集回線に対する指令要求を前記他拠点に収容されている前記召集サーバから行うことを特徴とする指令召集方法。
【請求項７】
各拠点間を少なくともＬＡＮ（Ｌｏｃａｌ  Ａｒｅａ  Ｎｅｔｗｏｒｋ）／ＷＡＮ（Ｗｉｄｅ  Ａｒｅａ  Ｎｅｔｗｏｒｋ）を含むネットワークで接続したことを特徴とする請求項６記載の指令召集方法。
【請求項８】
前記招集サーバと、前記招集サーバに前記収集指令を送出する情報端末とを前記ネットワークを介して接続することを特徴とする請求項７記載の指令召集方法。
【請求項９】
前記召集回線の状態を前記構内交換機から前記召集サーバに通知することを特徴とする請求項６から請求項８のいずれか記載の指令召集方法。
【請求項１０】
前記各拠点に収容される前記構内交換機間の接続を会議トランク同士の接続で行うことを特徴とする請求項６から請求項９のいずれか記載の指令召集方法。
【発明の詳細な説明】
【技術分野】
【０００１】
本発明は指令召集システム及びそれに用いる指令召集方法に関し、特に複数の拠点に配置された複数の加入者端末に対して指令召集を行うシステムに関する。
【背景技術】
【０００２】
従来、この種のシステムにおいては、複数の拠点間に専用回線を設け、連絡網を形成して情報の伝達を行っている。しかしながら、それら複数の拠点に音声で一斉に伝達する場合には、公衆回線を使用することが多い。
【０００３】
この場合には、発信側の構内交換機（ＰＢＸ：Ｐｒｉｖａｔｅ  Ｂｒａｎｃｈ  ｅＸｃｈａｎｇｅ）に伝達すべき拠点数分の公衆回線を引き込み、各拠点に対応する公衆回線を一斉に選択し、各拠点対応のダイヤル番号を送出することで各拠点を呼出し、各拠点からの応答で発令者からの音声を各拠点に送出している。
【０００４】
近年、上記の各拠点には構内交換機が設置されている場合が多く、構内交換機内の内線から公衆回線に発信し、あるいは公衆回線からの着信を構内交換機内の内線に接続するという交換動作が行われている。この場合、一斉指令機能は発令者から各拠点内の特定の内線に接続するため、公衆回線を使用すると、高コストとなってしまう。
【０００５】
この問題を解決する方法としては、各拠点に分散して配置されている複数の構内交換機間に指令用専用回線を設け、この指令用専用回線を介して発信側の構内交換機の指令台から他の構内交換機内部の受令内線に起動をかけ、一斉指令を行う方法がある（例えば、特許文献１参照）。この方法では、一斉指令の対象内線が各拠点に分散している構内交換機内に多数の公衆回線を収容する必要がない。
【０００６】
【特許文献１】特開平１１−３２１２２号公報
【発明の開示】
【発明が解決しようとする課題】
【０００７】
上述した従来のシステムでは、ＰＢ（Ｐｕｓｈ  Ｂｕｔｔｏｎ）信号の送受信用の回線が通話回線以外にも必要であり、またＰＢ信号による表示情報転送を行うために限られた情報しか伝達できず、処理速度が遅いため、ＰＢ信号を使用することによる回線効率と処理速度とに問題が生ずる。
【０００８】
また、従来のシステムでは、システムを本部側・支部側とに分けており、また指令を行えるのが特殊な装置であり、一般の電話機等を使用することができないため、システムの汎用性が低いという問題がある。
【０００９】
そこで、本発明の目的は上記の問題点を解消し、召集する加入者端末が分散収容されている場合でも、指令に使用する回線数を最小限とし、回線を有効に使用して接続を行うことができる指令召集システム及びそれに用いる指令召集方法を提供することにある。
【課題を解決するための手段】
【００１０】
本発明による指令召集システムは、各々加入者端末が接続される複数の召集回線を各拠点に分散して配置する指令召集システムであって、
収集指令に応答して指令要求を送出する召集サーバと、
前記召集サーバからの指令要求に応答して自拠点内の前記召集回線に対して呼出信号の送出を行う構内交換機とを前記各拠点に備え、
前記召集サーバは、前記指令要求を自拠点に収容する回線のみに対して行い、他拠点に収容される召集回線に対する指令要求は、前記他拠点に収容されている前記召集サーバから行っている。
【００１１】
本発明による指令召集方法は、各々加入者端末が接続される複数の召集回線を各拠点に分散して配置する指令召集システムの指令召集方法であって、収集指令に応答して召集サーバから指令要求を送出し、前記召集サーバからの指令要求に応答して構内交換機から自拠点内の前記召集回線に対して呼出信号の送出を行うとともに、前記召集サーバが前記指令要求を自拠点に収容する回線のみに対して行い、他拠点に収容される召集回線に対する指令要求を前記他拠点に収容されている前記召集サーバから行っている。
【００１２】
すなわち、本発明の指令召集システムは、召集回線が各拠点に分散され、各拠点に、通常の構内交換機と、加入者回線と、局外回線と、召集サーバと、会議トランクとを配設している。また、各拠点間はＬＡＮ（Ｌｏｃａｌ  Ａｒｅａ  Ｎｅｔｗｏｒｋ）／ＷＡＮ（Ｗｉｄｅ  Ａｒｅａ  Ｎｅｔｗｏｒｋ）等のネットワークで接続されている。
【００１３】
本発明の指令召集システムでは、ある拠点収容のＰＣ（Ｐｅｒｓｏｎａｌ  Ｃｏｍｐｕｔｅｒ）（もしくは召集サーバ）から指令を行うと、召集サーバが構内交換機に対して指令要求を行う。指令の要求を受けた構内交換機は召集回線に対して呼出信号の送出を行う。召集サーバが指令要求を行うのは自拠点に収容する回線のみで、他拠点に収容される回線の要求は他拠点に収容されている召集サーバから行う。
【００１４】
但し、他拠点の召集がある場合には、拠点間の音声路を確保するために、指令召集回線以外に拠点間網（公衆網／自営網）の要求を行う。このようにして、本発明の指令召集システムでは、召集回線を呼び出すことが可能となる。また、召集回線の状態は、構内交換機から召集サーバに通知することで、召集回線の状態（呼出中・話中・応答・復旧等）を細かく把握することが可能となる。
【００１５】
上記のように、本発明の指令召集システムでは、召集局間の接続を会議トランク同士の接続で行うことによって、召集する加入者端末が分散収容されている場合でも、指令に使用する回線数を最小限にすることができる。
【００１６】
また、本発明の指令召集システムでは、ＬＡＮ回線を用いて大量の情報を転送することができるので、召集している回線状態を細かくチェックすることができる。
【００１７】
さらに、本発明の指令召集システムでは、指令局／指令端末を決めていないため、どこからでも召集サーバを制御することで指令を実現しているので、各拠点のどの端末を使用しても指令召集を開始することが可能となる。
【発明の効果】
【００１８】
本発明は、以下に述べるような構成及び動作とすることで、召集する加入者端末が分散収容されている場合でも、指令に使用する回線数を最小限とし、回線を有効に使用して接続を行うことができるという効果が得られる。
【発明を実施するための最良の形態】
【００１９】
次に、本発明の実施の形態について図面を参照して説明する。図１は本発明の実施の形態による指令召集システムの構成を示すブロック図である。図１において、本発明の実施の形態による指令召集システムは３つの拠点（拠点Ａ，拠点Ｂ，拠点Ｃ）で構成されている。
【００２０】
拠点Ａには構内交換機１ａと、召集サーバ２ａと、会議トランク３ａと、会議召集者の操作ＰＣ（Ｐｅｒｓｏｎａｌ  Ｃｏｍｐｕｔｅｒ）４ａと、公衆網／自営網局外トランク５ａ，６ａと、加入者回線に接続される加入者端末１０ａ，１１ａ，１２ａ，１３ａとが配設されている。
【００２１】
同様に、拠点Ｂには構内交換機１ｂと、召集サーバ２ｂと、会議トランク３ｂと、会議召集者の操作ＰＣ４ｂと、公衆網／自営網局外トランク５ｂと、加入者回線に接続される加入者端末１０ｂ，１１ｂ，１２ｂ，１３ｂとが配設されている。
【００２２】
拠点Ｃには構内交換機１ｃと、召集サーバ２ｃと、会議トランク３ｃと、会議召集者の操作ＰＣ４ｃと、公衆網／自営網局外トランク５ｃと、加入者回線に接続される加入者端末１０ｃ，１１ｃ，１２ｃ，１３ｃとが配設されている。
【００２３】
各拠点Ａ，Ｂ，Ｃにおいては、それぞれ構内交換機１ａ，１ｂ，１ｃと、召集サーバ２ａ，２ｂ，２ｃと、操作ＰＣ４ａ，４ｂ，４ｃとをＬＡＮ（Ｌｏｃａｌ  Ａｒｅａ  Ｎｅｔｗｏｒｋ）にて接続している。
【００２４】
まず、指令召集者が操作ＰＣ４ａを使用し、指令召集に使用する加入者端末１０ａを選択する。この選択情報は情報Ｉとして召集サーバ２ａへと送信される。召集サーバ２ａでは受信情報を分析し、加入者端末１０ａを指令召集に使用する端末として設定し、情報IIを操作ＰＣ４ａに送信する。
【００２５】
次に、指令召集者は操作ＰＣ４ａを使用し、呼出しを行う加入者端末１１ａの選択を行う。この選択情報は情報III として召集サーバ２ａへと送信される。召集サーバ２ａでは受信情報を分析し、加入者端末１１ａを指令選択中状態とし、指令状態変化が応答状態であるかのチェックを行う（ここでは選択中変化）。召集サーバ２ａは指令選択中となった加入者端末１１ａを操作ＰＣ４ａに通知するために、情報IVの送信を行う。
【００２６】
操作ＰＣ４ａでは情報IVを受信すると、その受信情報の分析を行い、加入者端末１１ａが指令選択中となった表示を行い、指令操作者が認知できるようにする。上記と同様な手順を繰り返すことで、他の加入者端末１２ａ，１３ａの召集端末として選択する。
【００２７】
次に、指令召集者が操作ＰＣ４ａを使用して召集開始を行うと、召集開始要求の情報Ｖの送信は操作ＰＣ４ａから召集サーバ２ａへと行われる。召集サーバ２ａでは受信情報を分析し、情報VIを構内交換機１ａに選択されている指令情報の送信を行う。この情報VI内の情報内容は自拠点の加入者端末に対してのみである。
【００２８】
但し、指令選択情報内に他拠点の加入者に関する情報がある場合には、拠点間との音声路を確保するための情報を送信する。この拠点間との音声路を確保するための情報は、他拠点の会議トランクの番号である（ここでは拠点Ｂの会議トランク３ｂの番号とする）。
【００２９】
構内交換機１ａは情報VIを受信すると、受信情報を記憶装置内部の召集情報格納メモリ（図示せず）に設定する。構内交換機１ａは受信データから自局が召集局であるかのチェックを行い、召集局の場合に召集情報格納メモリの分析を開始し、指令召集に使用する加入者端末の捕捉、会議トランクの捕捉を行う。
【００３０】
また、構内交換機１ａは召集情報格納メモリに設定された情報の分析を行い、自局内加入者情報ならば、会議トランク経由で加入者端末の呼出しを行う。設定情報が、他拠点における会議トランクの番号であった場合には、公衆網／自営網局外トランクの捕捉を行い、会議トランク経由で他拠点（拠点Ｂ）へ発信を行う。
【００３１】
構内交換機１ａは上記の動作を召集情報格納メモリに設定されているデータ回数だけ繰り返す。その後、構内交換機１ａでは呼出しを行った情報の状態通知を情報VII にて行う。
【００３２】
召集サーバ２ａでは受信情報を分析し、加入者端末及び拠点間の公衆網／自営網局外トランクの回線状態が呼出中情報を受信した場合には、指令選択中から指令呼出中に変化させ、その変化情報を操作ＰＣ４ａに通知するために情報IVの送信を行う。
【００３３】
操作ＰＣ４ａでは情報IVを受信して処理分析を行い、受信情報分析を行う。操作ＰＣ４ａは加入者端末が指令呼出中となった表示を行い、指令操作者が認知できるようにする。
【００３４】
次に、構内交換機１ａでは呼出しを行った回線（加入者端末・局外トランク）の監視を行う。状態変化はイベントが発生した端末情報と召集情報格納メモリに設定されている情報とを比較することで検出する。
【００３５】
構内交換機１ａは呼出中回線で状態変化が発生した場合、召集サーバ２ａに情報VII の送信を行う。召集サーバ２ａでは受信情報を分析し、回線状態が応答情報を受信した場合に、指令呼出中から指令応答に変化させる。
【００３６】
召集サーバ２ａは指令応答に変化した回線が公衆網／自営網局外トランク（ここでは、拠点Ｂの会議トランク３ｂを選択するために使用した公衆網／自営網局外トランク５ａのことである）のチェックを行い、公衆網／自営網局外トランク以外の場合、拠点Ｂにおける会議トランク３ｂの準備が整い、拠点Ｂでの召集が可能であると判断し、応答があったＢ拠点の召集サーバ２ｂに対して該当加入者端末１０ｂ，１１ｂ，１２ｂ，１３ｂの情報VII を送出する。
【００３７】
次に、召集サーバ２ｂでは受信情報を分析し、拠点Ｂのおける加入者の情報を設定し、構内交換機１ｂに対して情報IVの送出を行う。よって、拠点Ｂに収容された加入者も召集することが可能になる。
【００３８】
本実施の形態では、上記の処理を繰り返し行うことで、他拠点でも同じような指令召集処理を行う。同様に、拠点Ｃ、さらに多くの拠点を交えての指令召集も可能である。
【実施例１】
【００３９】
次に、本発明の一実施例について説明する。本発明の一実施例による指令召集システムは図１に示す本発明の実施の形態による指令召集システムと同様の構成であり、同様の動作となっている。
【００４０】
図２は本発明の一実施例による構内交換機内部に設けられた召集情報格納メモリの構成を示す図である。図２において、召集情報格納メモリ２１は指令操作端末情報（加入者端末１０ａ）、招集者情報１（加入者端末１１ａ）、招集者情報２（加入者端末１２ａ）、招集者情報３（加入者端末１３ａ）、招集者情報４（会議トランク  拠点Ｂ）、・・・・、招集者情報ｎから構成されている。
【００４１】
図３は本発明の一実施例による操作ＰＣ・召集サーバ・構内交換間の送信情報を示す図である。図３において、この送信情報は種類と、内容と、信号方向とから構成されている。
【００４２】
「情報Ｉ」はその内容が「指令操作端末の通知を行う」であり、その信号方向が「操作ＰＣ→招集サーバ」である。「情報II」はその内容が「情報Ｉにて送られた情報の受付け可否の通知を行う（情報Ｉに対する返信）」であり、その信号方向が「招集サーバ→操作ＰＣ」である。
【００４３】
「情報III 」はその内容が「指令呼出しを行う加入者情報の選択／解除を行う」であり、その信号方向が「操作ＰＣ→招集サーバ」である。「情報IV」はその内容が「加入者状態の通知を行う」であり、その信号方向が「招集サーバ→操作ＰＣ」である。
【００４４】
「情報Ｖ」はその内容が「指令の開始／終了の通知を行う」であり、その信号方向が「操作ＰＣ→招集サーバ」である。「情報VI」はその内容が「構内交換機内の指令招集メモリの制御を行う」であり、その信号方向が「招集サーバ→構内交換機」である。
【００４５】
「情報VII 」はその内容が「加入者状態の通知を行う」であり、その信号方向が「構内交換機→招集サーバ」である。「情報VIII」はその内容が「指令呼出しを行う加入者情報の転送を行う」であり、その信号方向が「招集サーバ→招集サーバ」である。
【００４６】
図４は本発明の一実施例による操作ＰＣの処理手順を示すフローチャートであり、図５は本発明の一実施例による召集サーバの処理手順を示すフローチャートであり、図６は本発明の一実施例による構内交換機での処理手順（信号受信）を示すフローチャートであり、図７は本発明の一実施例による構内交換機での処理手順（イベント検出）を示すフローチャートである。これら図１〜図７を参照して本発明の一実施例による指令召集システムの動作について説明する。
【００４７】
まず、指令召集者が操作ＰＣ４ａを使用し（図４ステップＳ１）、指令召集に使用する端末（加入者端末１０ａ）の選択を行う（図４ステップＳ２）。この選択情報は情報Ｉとして召集サーバ２ａへと送信される（図４ステップＳ３）。
【００４８】
召集サーバ２ａでは受信情報を分析し（図５ステップＳ１１）、加入者端末１０ａを指令召集に使用する端末として設定し（図５ステップＳ１２）、情報IIを操作ＰＣ４ａに送信する（図５ステップＳ１３）。
【００４９】
次に、指令召集者は操作ＰＣ４ａを使用し（図４ステップＳ１）、呼出しを行う加入者端末（加入者端末１１ａ）の選択を行う（図４ステップＳ４）。この選択情報は情報III として召集サーバ２ａへと送信される（図４ステップＳ５）。
【００５０】
召集サーバ２ａでは受信情報を分析し（図５ステップＳ１１）、加入者端末１１ａを指令選択中状態とし（図５ステップＳ１４）、指令状態変化が応答状態であるかのチェックを行う（ここでは選択中変化）（図５ステップＳ１５）。召集サーバ２ａは指令選択中となった加入者端末１１ａを操作ＰＣ４ａに通知するために情報IVの送信を行う（図５ステップＳ１６）。
【００５１】
操作ＰＣ４ａでは情報IVを受信すると（図４ステップＳ１）、受信情報の分析を行い（図４ステップＳ６）、加入者端末１１ａが指令選択中となった表示を行い、指令操作者が認知できるようにする（図４ステップＳ７）。
【００５２】
本実施例では上述したステップＳ４〜Ｓ６，Ｓ１４〜Ｓ１６と同様な手順を繰り返すことで、他の加入者端末（加入者端末１２ａ，１３ａ）の召集端末の選択をも行う。
【００５３】
次に、指令召集者は操作ＰＣ４ａを使用し（図４ステップＳ１）、召集開始を行い（図４ステップＳ８）、召集開始要求の情報Ｖの送信を操作ＰＣ４ａから召集サーバ２ａへと行う（図４ステップＳ９）。
【００５４】
召集サーバ２ａでは受信情報を分析し（図５ステップＳ１１）、情報VIを構内交換機１ａに選択されている指令情報の送信を行う（図５ステップＳ７）。この情報VI内の情報内容は自拠点の加入者端末に対してのみである。
【００５５】
但し、指令選択情報内に他拠点の加入者に関する情報がある場合には、拠点間との音声路を確保するための情報を送信する。この拠点間との音声路を確保するための情報は、他拠点の会議トランクの番号である（ここでは拠点Ｂの会議トランク３ｂの番号とする）。
【００５６】
構内交換機１ａでは情報VIを受信し、受信情報を記憶装置内部の召集情報格納メモリ２１に設定する（図６ステップＳ２１）。構内交換機１ａは受信データから自局が召集局であるかのチェックを行い（図６ステップＳ２２）、召集局の場合に召集情報格納メモリ２１の分析を開始し、指令召集に使用する加入者の捕捉、会議トランクの捕捉を行う（図６ステップＳ２３）。
【００５７】
さらに、構内交換機１ａは召集情報格納メモリ２１に設定された情報の分析を行い（図６ステップＳ２４）、自局内加入者情報ならば、会議トランク経由で加入者回線の呼出を行う（図６ステップＳ２５）。設定情報が他拠点における会議トランクの番号であった場合には、公衆網／自営網局外トランクの捕捉を行い、会議トランク経由で他拠点（拠点Ｂ）への発信を行う（図６ステップＳ２６）。
【００５８】
構内交換機１ａは上記の動作を召集情報格納メモリ２１に設定されているデータ回数だけ繰り返す（図６ステップＳ２７）。その後、構内交換機１ａでは呼出しを行った情報の状態通知を情報VII にて行う（図６ステップＳ２８）。
【００５９】
召集サーバ２ａでは受信情報を分析し（図５ステップＳ１１）、加入者端末及び拠点間の公衆網／自営網局外トランクの回線状態が呼出中情報を受信した場合、指令選択中から指令呼出中に変化させる（図５ステップＳ１４）。また、召集サーバ２ａはこの変化情報を操作ＰＣ４ａに通知するために情報IVの送信を行う（図５ステップＳ１６）。
【００６０】
操作ＰＣ４ａでは情報IVを受信して処理分析を行い（図４ステップＳ１）、受信情報分析を行う（図４ステップＳ６）。操作ＰＣ４ａは加入者回線が指令呼出中となった表示を行い、指令操作者が認知できるようにする（図４ステップＳ７）。
【００６１】
次に、構内交換機１ａでは呼出しを行った回線（加入者回線・公衆網／自営網局外トランク）の監視を行う。状態変化はイベントが発生した端末情報と召集情報格納メモリ２１に設定されている情報とを比較して行う（図７ステップＳ３１）。呼出中回線で状態変化が発生した場合に、構内交換機１ａは召集サーバ２ａに情報VII の送信を行う（図７ステップＳ３２）。
【００６２】
召集サーバ２ａでは受信情報を分析し（図５ステップＳ１１）、回線状態が応答情報を受信した場合、指令呼出中から指令応答に変化させる（図５ステップＳ１４）。
【００６３】
召集サーバ２ａは指令応答に変化した回線が公衆網／自営網局外トランク（ここでは、拠点Ｂの会議トランクを選択するために使用した公衆網／自営網局外トランク５ａのことである）のチェックを行い（図５ステップＳ１５）、公衆網／自営網局外トランク以外の場合、拠点Ｂにおける会議トランク３ｂの準備が整い、拠点Ｂでの召集が可能であると判断し、応答があったＢ拠点の召集サーバ２ｂに対して該当加入者端末１０ｂ，１１ｂ，１２ｂ，１３ｂの情報VIIIを送出する（図５ステップＳ１８）。
【００６４】
次に、召集サーバ２ｂでは受信情報を分析し（図５ステップＳ１１）、拠点Ｂのおける加入者の情報を設定し構内交換機１ｂに対して情報IVの送出を行う（図５ステップＳ１７）。よって、本実施例では、拠点Ｂに収容された加入者も召集することが可能になる。
【００６５】
本実施例では、上述した処理を繰り返し行うことによって、他拠点でも同じような指令召集処理を行う。同様に、拠点Ｃ、さらに多くの拠点を交えての指令召集も可能である。
【００６６】
このように、本実施例では、召集局間の接続を会議トランク３ａ，３ｂ，３ｃ同士の接続で行うことによって、召集する加入者が分散収容されている場合でも、指令に使用する回線数を最小限にすることができる。
【００６７】
また、本実施例では、ＬＡＮ回線を用いた大量の情報を転送することができるので、召集している回線状態を細かくチェックすることができる。さらに、本実施例では、指令局／指令端末を決めていないため、どこからでも召集サーバ２ａ，２ｂ，２ｃを制御することで指令を実現することができ、各拠点Ａ，Ｂ，Ｃのどの端末を使用しても指令召集を開始することができる。
【図面の簡単な説明】
【００６８】
【図１】本発明の実施の形態による指令召集システムの構成を示すブロック図である。
【図２】本発明の一実施例による構内交換機内部に設けられた召集情報格納メモリの構成を示す図である。
【図３】本発明の一実施例による操作ＰＣ・召集サーバ・構内交換間の送信情報を示す図である。
【図４】本発明の一実施例による操作ＰＣの処理手順を示すフローチャートである。
【図５】本発明の一実施例による召集サーバの処理手順を示すフローチャートである。
【図６】本発明の一実施例による構内交換機での処理手順（信号受信）を示すフローチャートである。
【図７】本発明の一実施例による構内交換機での処理手順（イベント検出）を示すフローチャートである。
【符号の説明】
【００６９】
１ａ，１ｂ，１ｃ  構内交換機
２ａ，２ｂ，２ｃ  召集サーバ
３ａ，３ｂ，３ｃ  会議トランク
４ａ，４ｂ，４ｃ  操作ＰＣ
５ａ，５ｂ，５ｃ，６ａ  公衆網／自営網局外トランク
１０ａ，１１ａ，１２ａ，１３ａ，
１０ｂ，１１ｂ，１２ｂ，１３ｂ，
１０ｃ，１１ｃ，１２ｃ，１３ｃ  加入者回線
【図１】
2005057619.tif 000003
【図２】
2005057619.tif 000004
【図３】
2005057619.tif 000005
【図４】
2005057619.tif 000006
【図５】
2005057619.tif 000007
【図６】
2005057619.tif 000008
【図７】
2005057619.tif 000009